(57)【要約】【課題】複数の装置が共通電源の使用状態を相互間で伝達し合うようにし、電源のオンオフ管理を効率的に安全に実行する。【解決手段】第1の記録再生装置１００と第２の記録再生装置２００と共通の電源部３００とを有する。記録再生装置１００（又は２００）の制御部１０２（又は２０２）は、信号処理動作の終了時には他方記録再生装置２００（又は１００）の記録再生部２０１（または１０２）が動作中であれば電源部３００のメイン出力のオン状態を維持させ、非動作状態であれば電源部のメイン出力をオフする。【選択図】      図１
2005166110.tif 000002
【特許請求の範囲】
【請求項１】
第1、第２の電子装置と、前記第１、第２の電子装置に接続され共通に利用される電源部とを有し、
前記第１、第２の電子装置のそれぞれの制御部が情報連絡をとり、前記電源部の出力電力を必要とするのかどうかを検出する検出手段と、
前記検出結果と、自己が前記出力電力を要するか否かの判定結果とに応じて前記共通に利用される電源部のオンオフ状態を制御する電源制御手段とを具備したことを特徴とする共通電源制御装置。
【請求項２】
前記第１と第２の電子装置の各検出手段は、
自己以外の電子装置から電源オフ可能か否かを示す信号が送られて来るのを検出することを特徴とする請求項１記載の共通電源制御装置。
【請求項３】
前記自己以外の電子装置から送られてくる電源オフ可能か否かを示す信号は、周期的又は問合せに応じて送られてくることを特徴とする請求項２記載の共通電源制御装置。
【請求項４】
前記第１と第２の電子装置のそれぞれは、
他の電子装置に対して、自己に対する電源がオフ可能か否かを示す報告情報を出力する手段と、
前記報告情報を保持する手段と、
自己が前記電源部の出力電力を利用しない状態になった時に、前記自己が保持している報告情報をチェックし、前記電源をオフするかどうかを決定する手段とを有することを特徴とする請求項１記載の共通電源制御装置。
【請求項５】
前記第１、第２の電子装置は、それぞれが記録再生装置であることを特徴とする請求項１記載の共通電源制御装置。
【請求項６】
前記第１、第２の電子装置の１つは、ビデオテープレコーダであり、他の１つはＤＶＤビデオレコーダであることを特徴とする請求項１記載の共通電源制御装置。
【請求項７】
前記検出手段は、前記第１又は第２の記録再生装置が記録媒体の信号処理準備中又は動作中か否かを検出する手段であることを特徴とする請求項５記載の共通電源制御装置。
【請求項８】
前記記録媒体の信号処理動作中とは、情報記録又は再生部がユーザによる操作でスタート又は録画予約によりスタートしていることを特徴とする請求項７記載の共通電源制御装置。
【請求項９】
前記記録媒体の信号処理準備中とは、情報記録又は再生部が録画予約手段からの開始信号でスタートしていることを特徴とする請求項７記載の共通電源制御装置。
【請求項１０】
前記記録媒体の信号処理動作中とは、同一の情報記録媒体内で、ダビング処理が行われている動作であることを特徴とする請求項７記載の共通電源制御装置。
【請求項１１】
前記第１と第２の記録再生装置のそれぞれは、
自己以外の記録再生装置に対して、自己に対する電源がオフ可能か否かを示す報告情報を出力する手段と、
記録動作の終了時に、前記報告情報をチェックし、前記電源をオフするかどうかを決定する手段とを有することを特徴とする請求項５記載の共通電源制御装置。
【請求項１２】
第1、第２の電子装置と、前記第１、第２の電子装置に接続され共通に利用される電源部とを有し、前記電源部を制御する方法において、
前記第１、第２の電子装置のそれぞれの制御部が情報連絡をとり、前記電源部の出力電力を必要とするのかどうかを検出し、
前記検出結果と、自己が前記出力電力を要するか否かの判定結果とに応じて前記共通に利用される電源部のオンオフ状態を制御するようにしたことを特徴とする共通電源制御方法。
【発明の詳細な説明】
【技術分野】
【０００１】
本発明は、例えば、ビデオテープレコーダ（ＶＴＲ）、デジタルバーサタイルディスク（ＤＶＤ）を用いたＤＶＤ−ビデオレコーディング（ＶＲ）装置、ハードディスク装置などの各種の電子装置が共通電源を用いる場合に有効な共通電源制御装置と方法に関するものである。
【背景技術】
【０００２】
近年、各種の情報記録再生装置が市場にて販売されているが、これらの記録再生装置が一体化した、複合型記録再生装置も市場ニーズがある。従来ＶＴＲで収録したテープ記録情報を、最近開発されたＤＶＤ―ＶＲ装置でディスクに移し変えることに関して、複合型記録再生装置の要望がある。
【特許文献１】特開平７−９８９２６号公報
【発明の開示】
【発明が解決しようとする課題】
【０００３】
上記のような複合型記録再生装置の設計において、それぞれの記録再生部に独立して電源を設備すると、大型化、コスト増大の面で、無駄である。そこで、電源を複数の記録再生部にて共通化して共有するという手法が考えられる。しかしながら、最近の記録再生装置は、ユーザが側に居ながら装置を直接操作するとは限らない。ユーザが側に居なくても予約時間が来ると、自動的に装置が立ち上り予約録画を行うような機能を持つために、共通電源のオンオフ制御が繁雑になってくる。つまり、複数の記録再生装置がマニュアル操作による動作と自動動作とが可能であるために、共通電源のオンオフ管理が複雑化である。
【０００４】
そこでこの発明の目的は、複数の装置が共通電源の使用状態を相互間で伝達し合うようにし、電源のオンオフ管理を効率的に安全に実行することができる、共通電源制御装置と方法を提供することにある。
【課題を解決するための手段】
【０００５】
この発明は、第1、第２の電子装置と、前記第１、第２の電子装置に接続され共通に利用される電源部とを有し、前記第１、第２の電子装置のそれぞれの制御部が情報連絡をとり、前記電源部の出力電力を必要とするのかどうかを検出する検出手段と、前記検出結果に応じて前記共通に利用される電源部のオンオフ状態を制御する電源制御手段とを有する。
【発明の効果】
【０００６】
上記の手段により、複数の装置により共有されている電源が安全で効率的に使用されることになる。また、この手段により複数の電子装置を増設しても、容易に共通電源を利用できる。
【発明を実施するための最良の形態】
【０００７】
以下この発明の実施の形態を図面を参照して説明する。この発明は、電子装置、例えば電子テレビチューナ、テレビジョン受信機、オーディオ増幅器、ビデオテープレコーダ（ＶＴＲ）、ＤＶＤ−ビデオレコーディング（ＶＲ）装置、パーソナルコンピュータなど複数の電子装置の共通電源制御装置として適用可能である。適用範囲は、離独立した装置でもよいし、複合一体型の装置でもよい。
【０００８】
ここでは、図１に示すように複合記録再生装置４００の構成例を示している。複合記録再生装置４００は、例えばＶＴＲである第１の記録再生装置（第１の電子装置）１００とＤＶＤビデオレーダである第２の記録再生装置（第２の電子装置）２００が複合されている。そしてこれらの装置の電源は、電源部３００が共通電源として使用される。
【０００９】
電源部３００は、第１、第２の記録再生装置１００、２００に対しするメイン電源を与える主電源回路３０１、タイマー、予約録画用の回路、リモコン制御部５００に電源を与える補助電源回路３０２を含む。この明細書で電源のオンオフという場合は、主電源回路３０１の出力であるメイン出力のオンオフを意味する。リモコン制御部５００は、リモートコントローラ５１０からのコントロール信号を受けて解析処理し、装置内の各種機能をスタートさせる。なお複合記録再生装置４００内に受信装置（デジタルチューナ等）が組み込まれていてもよいし、あるいは受信装置または外部の機器（テレビ、ＶＴＲなど）からの出力が、導入されていてもよい。
【００１０】
第１、第２の記録再生装置１００、２００は、それぞれ、記録再生部１０１、２０１及び対応する記録再生部１０１、２０１をそれぞれ制御する制御部１０２，２０２を含む。ここで、制御部１０２、２０２は、相互に情報の交換を行うことができる。またこの制御部１０２、２０２は、条件に応じて電源のオン、オフを制御し、共通の電源部３００を安全にかつ効率的に管理している。
【００１１】
図２から図６には、第１と第２の記録再生装置により、電源部３００が効率的に制御される各種の例を示している。図２の例を説明する。第１の記録再生装置１００が例えばユーザ操作により電源オンされ記録を開始したとする（時点ｔ１１）。このときは、第２の記録再生装置２００も電源オン状態となる。ここで第２の記録再生装置２００が、例えば予約録画機能により、記録を開始したとする（時点ｔ２１）。そして、時点ｔ１２で第１の記録再生装置１００が記録を終了したとする。この時点ｔ１２では、第２の記録再生装置２００の記録再生部２０１は動作中であるものとする。
【００１２】
記録を終了した第１の記録再生装置１００は、その制御部１０２が他方の装置の制御部２０２に対して、準備中或は動作中（記録再生部２０１での記録媒体の信号処理準備中又は動作中）であるかどうかを問い合わせる。信号処理動作中とは、情報記録又は再生部がユーザによる操作でスタートしていることである。また記録媒体の信号処理準備中とは、情報記録又は再生部が録画予約手段からの開始信号でスタート（録画の約５分前からスタートする）していることである。
【００１３】
すると、第２の記録再生装置２００の制御部２０２は、現在動作中であることを制御部１０２に回答する。この場合、制御部１０２は、電源オフを行うことなく、記録動作のみを終了する。次に、時点ｔ２２で第２の記録再生装置２００の記録が停止したとする。すると、第２の記録再生装置２００の制御部２０２は、制御部１０２に対して、記録再生部１０１は、動作中であるかどうかの問合せ行う。このとき,第１の記録再生装置１００は、応答しないか、又は非動作中であることの応答を行う。すると、第２の記録再生装置２００は、電源部３００を制御し、メイン電源出力をオフする。
【００１４】
上記の例では、記録再生装置が、お互いに記録又は再生が終了したときに、相互に電源オフ可能かどうかを問い合わせている。しかし、各記録再生装置の制御部が、周期的に自分は、「電源オフ可能です」という電源報告情報を他の全ての装置に知らせるようにしてもよい。一方、それぞれの装置は、電源報告情報を受け取ると、この電源報告情報を記憶するのである。そして、自己の記録または、再生が終了したときは、他の装置の状態を電源報告情報記憶部の内容でチェツクし、１台でも「電源オフ不可能」の装置があれば、電源をオフしないように設定されているのである。また電源情報として、操作機能により、動作終了後は、「電源を切る」という値がユーザによって設定されている場合であって、「全ての装置の電源をオフ可能」という判定が行われた場合には、メイン電源をオフする。
【００１５】
図３の例を説明する。この例は、第１の記録再生装置１００の記録再生部１０１が動作した例である。時点ｔ１１から記録（予約録画、或はユーザ操作による録画）が開始され、時点ｔ１２で記録が終了したとする。この時点ｔ１２で制御部１０２は、制御部２０２に対して動作中であるかどうかの問合せを行う。制御部２０２は、この問いに対して、応答しないか、又は非動作中であることの応答を行う。すると、第１の記録再生装置１００は、電源部３００を制御し、メイン電源出力をオフする。
【００１６】
上記の実施の形態においても、図２の例と同様に各記録再生装置の制御部が、周期的に自分は、「電源オフ可能です」という電源情報を他の全ての装置に知らせる方式を採用してもよい。
【００１７】
図４の例を説明する。この例は、例えば第１の記録再生装置１００が、ユーザの操作により、時点ｔ１１から時点ｔ１２まで記録動作し、しばらく間隔をおいて時点ｔ１３から時点ｔ１４記録動作した例を示している。一方、第２の記録再生装置は、予約録画機能により、時点ｔ２１から時点ｔ２２まで記録動作した例を示している。時点ｔ１１では、第１の記録再生装置１００の制御部１０２が電源をオンする。時点ｔ１２では、第１の記録再生装置１００の記録再生部１０１の記録動作が終了したので、制御部１０２が制御部２０２に動作中であるかどうかの問合せを行う。このときは制御部２０２は記録再生部２０１が動作中であることの応答を行う。このときは、第１の記録再生装置１００の制御部１０２は電源をオフすることはない。
【００１８】
また時点ｔ２２では、第２の記録再生装置２００の記録再生部２０１の記録動作が終了したので、制御部２０２が制御部１０２に動作中であるかどうかの問合せを行う。このときは制御部１０２は記録再生部１０１が動作中であることの応答を行う。このときは、第２の記録再生装置２００の制御部２０２は電源をオフすることはない。
【００１９】
次に時点ｔ１４では、第１の記録再生装置１００の記録再生部１０１の記録動作が終了したので、制御部１０２が制御部２０２に動作中であるかどうかの問合せを行う。このときは制御部２０２は記録再生部２０１が非動作中であることの応答を行う。このときは、第１の記録再生装置１００の制御部１０２は電源をオフする。
【００２０】
図５の例を説明する。時点ｔ１１からｔ１２までは、第１の記録再生装置１００の記録再生部１０１がユーザ操作により、再生動作をしている期間である。時点ｔ２１から時点ｔ２２までは、第２の記録再生装置２００が例えば予約録画機能により、録画動作を行っている期間である。
【００２１】
再生動作が終了した時点ｔ１２で、第１の記録再生装置１００は、その制御部１０２が他方の装置の制御部２０２に対して、動作中であるかどうかを問い合わせる。すると、第２の記録再生装置２００の制御部２０２は、現在動作中であることを制御部１０２に回答する。この場合、制御部１０２は、電源オフを行うことなく、再生動作のみを終了する。次に、時点ｔ２２で第２の記録再生装置２００の記録が停止したとする。第２の記録再生装置２００の制御部２０２は、制御部１０２に対して、記録再生部１０１は、動作中であるかどうかの問合せ行う。このとき,第１の記録再生装置１００は、応答しないか、又は非動作中であることの応答を行う。すると、第２の記録再生装置２００は、電源部３００を制御し、メイン電源出力をオフする。
【００２２】
上記の各実施の形態では、電源オフ状態から記録又は再生がスタートした様子を説明した。そして最終的には、電源オフ可能かどうかの判定を行い、「電源オフ」となる例を説明した。これは、動作中にユーザが「終了後は電源を切る」という設定を操作部により行っているからである。しかし、「終了後は電源を切る」という設定を行わなず、電源オン状態からユーザ操作により記録又は再生を開始させた場合は、記録又は再生動作後に電源はオフすることはない。
【００２３】
この発明の考え方は、複合型記録再生装置内の装置が、２つ以上複合されていても適用できるものである。図６には、第１から第３の装置と、この装置の共通電源との関係を示している。
【００２４】
時点ｔ１で第１装置が記録又は再生をスタートしたとする。第１装置の制御部は、電源がオンしているかどうか確認し、オンしていなければ電源をオンする。時点ｔ２では、第２装置が記録又は再生をスタートするものとする。第２装置の制御部は、電源がオンしているかどうか確認し、この場合はオンしているので記録又は再生をスタートする。時点ｔ３では、第１装置が記録又は再生を終了したとする。第１装置の制御部は、第２装置の制御部、第３装置の制御部に対して、動作中であるかどうかの問合せを行う。すると、第３装置の制御部からは非動作の答があり、第２装置の制御部からは動作中の答がある。このときは、第１装置の制御部は、１つでも動作中の回答がある場合は、電源をオフすることはない。
【００２５】
時点ｔ４では、第２装置は記録又は再生が終了している。第２装置の制御部は、第１装置の制御部、第３装置の制御部に対して、動作中であるかどうかの問合せを行う。この例の場合は、第１、第３装置の制御部からは非動作の答がある。よって、第２装置の制御部は、電源をオフする。
【００２６】
時点ｔ５で第３装置が記録又は再生をスタートしたとする。第３装置の制御部は、電源がオンしているかどうか確認し、オンしていなければ電源をオンする。時点ｔ６では、第１装置が記録又は再生をスタートしたとする。第１装置の制御部は、電源がオンしているかどうか確認し、この場合はオンしているので記録又は再生をスタートする。時点ｔ７では、第１装置が記録又は再生を終了したとする。第１装置の制御部は、第２装置の制御部、第３装置の制御部に対して、動作中であるかどうかの問合せを行う。すると、第２装置の制御部からは非動作の答があり、第３装置の制御部からは動作中の答がある。このときは、第１装置の制御部は、１つでも動作中の回答がある場合は、電源をオフすることはない。
【００２７】
時点ｔ８では、第３装置は記録又は再生が終了している。第３装置の制御部は、第１装置の制御部、第２装置の制御部に対して、動作中であるかどうかの問合せを行う。この例の場合は、第１、第２装置の制御部からは非動作の答がある。よって、第３装置の制御部は、電源をオフする。
【００２８】
なお上記の動作中は、同じ記録媒体のある領域の情報を別の領域へダビングを行っている場合も含む。
【００２９】
さらにこの発明の別の側面を説明する。上記の説明は、電源を最終的にオフする権利を有する装置は、最も遅くまで録画或は再生を行い、他の装置が録画或は再生を実行していないことを確認した装置であった。しかし、この発明はこのような形態に限らず、特定の装置（例えば第１の記録再生装置）のみが、最終的に電源をオフする権利を有するようにすることもできる。また、記録再生部で、予約動作が開始していても、ユーザ操作により電源オフ操作が成された場合は、強制的に電源部３００がオフされる。
【００３０】
即ち、図７に示すように、今、記録再生装置１００の記録再生部１０１が予約録画に移行したとする。ここで、ユーザ操作により電源オフ操作が成された場合は、電源部３００がオフされる（ステップＳＴ１、ＳＴ２）。ステップＳＴ３で、記録再生装置１００の記録再生部１０１が予約録画が終了したとする。すると、制御部１０２は、記録再生装置２００の制御部１０２に対して電源オフ可能かどうか（動作中か否か）を問合せるまたはチェックする（ステップＳｔ４）。可能であれば電源をオフする（ステップＳＴ５）。しかし、電源オフ不可能であれば、ステップＳＴ６にて、制御部１０２は、「終了後電源をオフする」という電源情報が設定されてるかを見る。ここで、記録再生装置２００の記録再生部２０１が動作が終了したとする、つまり電源オフ可能になったとする。この場合は、先の例では、記録再生装置２００側が電源オフか維持かの判断を行っていた。しかし、この実施例では、記録再生装置２００側が電源オフ可能という情報を出力したとき（ステップＳＴ７）、記録再生装置１００側の制御部１０２が再度、自分の方は電源をオフしてもよいかどうかを判断する（ステップＳＴ８）。そして、電源オフ可能であるときに電源を実際にオフする（ステップＳＴ９）。
【００３１】
上記の実施形態の場合、特定の記録再生装置１００を含む複数の記録再生装置１００，２００と、前記複数の記録再生装置に共通に接続された電源部３００とを有する。
【００３２】
前記複数の記録再生装置のそれぞれは、電源部のメイン出力のオンオフを確認する手段と、他の全ての記録再生装置に対して記録媒体の信号処理動作中か否かを確認する手段と、記録媒体の信号処理動作の開始に先立ち前記電源部のメイン出力がオフである場合は、前記電源部のメイン出力をオンする手段とを有する。そして、特に、ステップＳＴ６，ＳＴ７、ＳＴ８の動作から分るように、記録媒体の信号処理動作の終了時には、特定の記録再生装置１００に電源オフ処理の動作を委ねる手段を有するのである。
【００３３】
したがって、特定の記録再生装置１００は、他の記録再生装置のうち１つでも記録媒体の信号処理動作中であれば前記メイン電源部のメイン出力のオン状態を維持させるが、他の全ての記録再生装置が記録媒体の信号処理の非動作状態であればメイン電源部のメイン出力をオフする手段を有するのである。
【００３４】
上記の実施の形態では、第１と第２の記録再生装置は、ＶＴＲ、ＤＶＤビデオレコーダであるとしているが、ＤＶＤビデオレコーダ、再生専用のＤＶＤプレーヤの組であっても構わない。またハードディスク装置とＤＶＤビデオレコーダとの組み合せであっても構わない。これらの組み合せは各種可能である。
【００３５】
また本発明は、電子装置のそれぞれの制御部が電源制御機能をもつので、各種の電子装置が電源を共有するような場合、電子装置を追加するだけで共有電源の制御が可能となる。
【００３６】
上記の各実施の形態においても、図２の例と同様に各記録再生装置の制御部が、周期的に自分は、「電源オフ可能です」という電源情報を他の全ての装置に知らせる方式を採用し、記録又は再生が終了したときに、保持している他の装置の情報をチェックするようにしてもよい。
【００３７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３８】
【図１】本発明の基本的な構成を示す図。
【図２】本発明の一動作例を示す説明図。
【図３】本発明の他の動作例を示す説明図。
【図４】本発明のまた他の動作例を示す説明図。
【図５】本発明のさらに他の動作例を示す説明図。
【図６】本発明のさらにまた他の動作例を示す説明図。
【図７】本発明のまた他の動作例を示す説明図。
【符号の説明】
【００３９】
１００…第１の記録再生装置、１０１…記録再生部、１０２…制御部、２００…第１の記録再生装置、２０１…記録再生部、２０２…制御部、３００…電源部、４００…複合記録再生装置。
【図１】
2005166110.tif 000003
【図２】
2005166110.tif 000004
【図３】
2005166110.tif 000005
【図４】
2005166110.tif 000006
【図５】
2005166110.tif 000007
【図６】
2005166110.tif 000008
【図７】
2005166110.tif 000009